(57)【特許請求の範囲】
【請求項１】
被測定ラインから複数の測定レンジを有する入力部を介して入力される電圧と電流をサンプリングして、上記電圧と上記電流とから瞬時電力を算出し、所定積算時間にわたって上記瞬時電力を積算して積算電力を得るとともに、上記測定レンジに固有のリーディング誤差とフルスケール誤差とから上記積算電力の電力誤差を求めて、その電力誤差を上記積算電力とともに出力する積算電力計において、
上記各測定レンジごとに上記リーディング誤差と上記フルスケール誤差を設定する操作手段を含み、上記瞬時電力を算出するごとに、そのときに選択されている上記測定レンジの上記リーディング誤差と上記フルスケール誤差とにより上記瞬時電力の電力誤差を算出するとともに、その各電力誤差を所定積算時間にわたって積算することにより、上記積算電力の電力誤差を得ることを特徴とする積算電力計。
【請求項２】
上記電力誤差を積算するにあたって、誤差積算を上記各測定レンジごとに分けて行ない、その各誤差積算値を出力可能としたことを特徴とする請求項１に記載の積算電力計。
【発明の詳細な説明】
【０００１】
【発明の属する技術分野】
本発明は、積算電力計に関し、さらに詳しく言えば、入力レベルに応じて測定レンジを自動的に切替えるオートレンジモード時においても、適切な誤差範囲を表示する積算電力計に関するものである。
【０００２】
【従来の技術】
図３のフローチャートに示されているように、積算電力計においては、被測定ラインの電圧と電流がＡ／Ｄ変換器などにてサンプリングされ、ＣＰＵなどの制御手段でその電圧データと電流データとから瞬時電力が算出されるとともに、この瞬時電力の積算を行って積算電力が求められ、この積算電力がディスプレイなどに表示（出力）される。
【０００３】
ところで、積算電力計の性能諸元の１つに電力確度があり、積算電力とともに、この電力確度に基づいて積算電力の誤差が求められ、多くの場合、この誤差範囲が積算電力とともに表示される。
【０００４】
この電力確度として、リーディング誤差とフルスケール誤差なるものがあり、リーディング誤差が±α％ｒｄｇ．、フルスケール誤差が±β％ｆ．ｓ．であるとすると、積算電力の誤差は次式によって求められる。
【０００５】
0004625588.tif 000002
【０００６】
１時間にわたって瞬時電力が積算されて積算電力が得られ、この場合の測定レンジが例えば１０ｋＷレンジで、積算電力が６ｋＷｈ、電力確度のリーディング誤差が±１％ｒｄｇ．およびフルスケール誤差が±２％ｆ．ｓ．であるとすると、積算電力の誤差は次のようになる。
【０００７】
0004625588.tif 000003
【０００８】
【発明が解決しようとする課題】
しかしながら、従来の積算電力計では、積算電力が求められた後に、電力確度のリーディング誤差とフルスケール誤差とから、積算電力の誤差を算出するようにしているため、次のような課題があった。
【０００９】
すなわち、上記式（１）からして、サンプリングの間は、瞬時電力の測定レンジが一定に固定されていなければならない。したがって、入力レベルに応じて測定レンジが自動的に切替えられるオートレンジには対応できない。また、積算電力を求めてから誤差を算出するため、出力（表示）するまで余計に時間がかかる。
【００１０】
【課題を解決するための手段】
上記課題を解決するため、本発明は、被測定ラインから複数の測定レンジを有する入力部を介して入力される電圧と電流をサンプリングして、上記電圧と上記電流とから瞬時電力を算出し、所定積算時間にわたって上記瞬時電力を積算して積算電力を得るとともに、上記測定レンジに固有のリーディング誤差とフルスケール誤差とから上記積算電力の電力誤差を求めて、その電力誤差を上記積算電力とともに出力する積算電力計において、上記各測定レンジごとに上記リーディング誤差と上記フルスケール誤差を設定する操作手段を含み、上記瞬時電力を算出するごとに、そのときに選択されている上記測定レンジの上記リーディング誤差と上記フルスケール誤差とにより上記瞬時電力の電力誤差を算出するとともに、その各電力誤差を所定積算時間にわたって積算することにより、上記積算電力の電力誤差を得ることを特徴としている。
【００１１】
この構成によれば、上記瞬時電力を算出するごとに、その電力確度、すなわち測定レンジ固有のリーディング誤差とフルスケール誤差とから電力誤差が算出されるため、オートレンジモードでも適切な積算電力の誤差が求められる。また、積算電力と同時にその誤差も求められるため、出力（表示）の高速化が図れる。
【００１２】
また、電力誤差を積算するにあたって、誤差積算を各測定レンジごとに分けて行ない、その各誤差積算値を出力可能とすることが好ましく、これによれば、各測定レンジでの電力誤差も併せて知ることができる。
【００１３】
【発明の実施の形態】
次に、図１のブロック図および図２のフローチャートを参照しながら、本発明の実施形態について説明する。図１に示されているように、この積算電力計１００には、被測定ラインの電流を検出する電流センサ１０１および電圧を検出する電圧センサ１０２と、入力部１０３と、Ａ／Ｄ変換器１０４と、制御手段（ＣＰＵ）１０５と、操作手段１０６と、表示手段１０７とが備えられている。
【００１４】
図示されていないが、入力部１０３には複数の測定レンジが切替え可能に設けられており、この実施形態ではＣＰＵ１０５により、入力信号のレベルに応じて測定レンジが自動的に切替えられるように制御される。
【００１５】
また、ＣＰＵ１０５には、各測定レンジごとに設定されている電力確度としての固有のリーディング誤差とフルスケール誤差が、例えばキーボードなどの操作手段１０６より入力され、ＣＰＵ１０５はこの誤差データに基づいて瞬時電力の誤差を算出する。なお、これらの誤差データをＣＰＵ１０５の制御用ＲＯＭなどに書き込んでもよい。
【００１６】
また、ＣＰＵ１０５には、積算電力用メモリ１０８と電力誤差用メモリ１０９の２つのメモリが備えられている。積算電力用メモリ１０８には、所定の積算時間にわたって瞬時電力が積算される。また、電力誤差用メモリ１０９には、同じく所定の積算時間にわたって瞬時電力の誤差が積算される。
【００１７】
次に、図２のフローチャートに基づいて、この積算電力計１００の動作の一例について説明する。この例は、入力部１０３の測定レンジがオートレンジモードで制御され、１時間単位で積算電力を計測するにあたって、その計測時間の内の例えば測定開始からＴ１時間までの間は第１レンジ（α１，β１）が選択され、その後に入力レベルの変動により第２レンジ（α２，β２）に切り換えられて、残りのＴ２時間（１時間−Ｔ１時間）は第２レンジが維持される場合についてのものである。α１，α２はリーディング誤差、β１，β２はフルスケール誤差である。
【００１８】
測定が開始されると、まず、ＣＰＵ１０５は入力部１０３の測定レンジがどのレンジであるかを見て、瞬時電力ＶＰの誤差演算に用いる誤差データを選択する。上記の仮定によると、測定開始時点の測定レンジは第１レンジであるから、その誤差データには、リーディング誤差α１，フルスケール誤差β１が用いられる。
【００１９】
そして、ＣＰＵ１０５は、Ａ／Ｄ変換器１０４にて電圧データＶと電流データＩがサンプリングされるごとに、Ｖ×Ｉなる演算を行なって瞬時電力ＶＰを算出し、その値ＶＰを積算電力用メモリ１０８に入れ逐次加算する（電力積算）。
【００２０】
その一方で、ＣＰＵ１０５は、この瞬時電力演算と並行して誤差演算および誤差積算を実行する（ステップＳＴＡ，ＳＴＢ参照）。すなわち、次式（３）により、各瞬時電力ＶＰの誤差ＥＰを算出するとともに、その瞬時電力誤差ＥＰを電力誤差用メモリ１０９入れ逐次加算する（誤差積算）。
【００２１】
0004625588.tif 000004
【００２２】
次に、上記の仮定にしたがって、測定開始時点からＴ１時間経過後に入力レベル変動により、入力部１０３の測定レンジが第１レンジから第２レンジに切り換えられたとする。
【００２３】
ＣＰＵ１０５は、このレンジ切換えによっても上記の電力積算（ΣＶ×Ｉ）は続行するが、瞬時電力ＶＰの誤差演算に用いる誤差データには、第２レンジのリーディング誤差α２，フルスケール誤差β２を採用し、今度はこの誤差データα２，β２に基づき瞬時電力誤差ＥＰを次式（４）により算出する。
0004625588.tif 000005
【００２４】
ＣＰＵ１０５は、上記と同様に、この瞬時電力誤差ＥＰを電力誤差用メモリ１０９に入れ、先に積算されたＴ１時間の瞬時電力誤差ＥＰに対してさらに加算して誤差積算する。
【００２５】
このようにして、Ｔ１時間後のＴ２時間の間、第２レンジにて測定が行なわれ、測定開始時点から１時間が経過すると、ＣＰＵ１０５は、積算電力用メモリ１０８から積算電力を、また、電力誤差用メモリ１０９から電力誤差をそれぞれ読み出し、ディスプレイやプリンタなどの表示手段１０７に出力する。
【００２６】
上記実施形態は、オートレンジモードにより測定レンジが切り換えられた場合についてのものであるが、手動切換であっても同様に積算電力と電力誤差とが求められる。
【００２７】
また、上記実施形態では、Ｔ２時間内の瞬時電力誤差を先に得られたＴ１時間内の誤差積算値に逐次加算するようにしているが、各時間内の瞬時電力誤差を別々に積算し、出力時に各誤差積算値を加算するようにしてもよい。
【００２８】
例えば、第１レンジでの誤差積算値をＥＰ１、第２レンジでの誤差積算値をＥＰ２とすると、最終的にＥＰ１＋ＥＰ２の値が積算電力の電力誤差として出力されるが、この場合には、参考情報として各レンジでの誤差積算値ＥＰ１，ＥＰ２も出力することができる。
【００２９】
【発明の効果】
以上説明したように、本発明によれば、瞬時電力の算出時に、その時の測定レンジのリーディング誤差とフルスケール誤差とにより瞬時電力の電力誤差を算出し、この電力誤差を所定の積算時間にわたって積算するようにしたことにより、入力レベルに応じて測定レンジを自動的に変化させるオートレンジモードでも適切な積算電力の電力誤差が得られ、この誤差を積算電力の誤差範囲として表示することができる。
【００３０】
また、電力積算と並行して誤差積算が行なわれ、従来のように積算電力が求められてから誤差演算する場合に比べて、出力（表示）の高速化が図れる。また、誤差積算を各測定レンジごとに分けて行ない、その各誤差積算値を出力可能とすることにより、各測定レンジでの電力誤差も併せて知ることができ、電力量を解析する上で有用である。
【図面の簡単な説明】
【図１】本発明の実施形態を示したブロック図。
【図２】本発明の動作を説明するためのフローチャート。
【図３】従来の積算電力計の一連の動作を説明するためのフローチャート。
【符号の説明】
１００  積算電力計
１０１  電流センサ
１０２  電圧センサ
１０３  入力部
１０４  Ａ／Ｄ変換器
１０５  制御手段（ＣＰＵ）
１０６  操作手段（キーボード）
１０７  表示手段（ディスプレイ）
１０８  積算電力用メモリ
１０９  電力誤差用メモリ
【図１】
0004625588.tif 000006
【図２】
0004625588.tif 000007
【図３】
0004625588.tif 000008